(57)【要約】      （修正有）【課題】製造が簡単なマスク材料およびそれを用いたマスクを提供する。【解決手段】マスク材料５０は、表面から最外層５１、外層５２、中間層５３、内層５４、最内層５５の順番に設けられている５層構造のマスク材料であって、最外層５１、外層５２、内層５４、最内層５５が絹織物であり、中間層５３が不織布であり、最外層５１および外層５２によって外側二重織物６１を構成しており、内層５４および最内層５５によって内側二重織物６２を構成している。【選択図】図３
0003227103.tif 000002
【実用新案登録請求の範囲】
【請求項１】
表面から最外層、外層、中間層、内層、最内層の順番に設けられている５層構造のマスク材料であって、
前記最外層、前記外層、前記内層、前記最内層が絹織物であり、
前記中間層が不織布であり、
前記最外層および前記外層によって外側二重織物を形成しており、
前記内層および前記最内層によって内側二重織物を形成している、
５層構造のマスク材料。
【請求項２】
前記外側二重織物と、前記内側二重織物が、１枚の二重織物を折り重ねることによって形成されている、
請求項１記載のマスク材料。
【請求項３】
前記絹織物が、ジャガード織機によって織られた紋織物である、
請求項１または２記載のマスク材料。
【請求項４】
全５層を折り曲げてボックスプリーツ加工が施されている、
請求項１から３いずれか記載のマスク材料。
【請求項５】
前記不織布は、高密度不織布である、
請求項１から４いずれか記載のマスク材料。
【請求項６】
前記不織布は、エンボス加工が施された高密度不織布である、
請求項５記載のマスク材料。
【請求項７】
前記エンボス加工が、不織布の全体に均等に設けられた凹部である、
請求項６記載のマスク材料。
【請求項８】
少なくとも左右縁および下縁が縫製されて一体化されている、
請求項１から７いずれかに記載のマスク材料。
【請求項９】
前記マスク材料の上部であって、外層と前記内層との間に、ノーズワイヤが設けられている、
請求項１から８いずれか記載のマスク材料。
【請求項１０】
請求項１から９いずれか記載のマスク材料と、その両端に設けられた耳掛け部とからなるマスク。
【考案の詳細な説明】
【技術分野】
【０００１】
本発明は、マスク材料およびそれを用いたマスクに関する。
【背景技術】
【０００２】
近年、花粉等の様々なアレルギー症状を抱える患者が増加している。また様々なウイルスによる感染症が毎年のように流行している。そして、このようなアレルギー症状および感染症に対する有効な手段として、マスクの着用が挙げられる。
マスクは、人の顔に装着し、鼻および口を覆うものであり、空気中の微細な浮遊物が体内に取り込まれないようにしたり、口や鼻からの分泌物を周囲にまき散らさないようにする。そのため、花粉等やウイルスを体内に取り込むことを防止し、また、万が一、感染症に罹ったとしても周囲への影響を最小限にとどめることができる。特に、感染症が流行している際、公共の場所において、マスクの着用はエチケットとされつつある。
特許文献１には、吸湿性がよく、肌触りが良好な、放縮処理が施された生糸からなる絹織物を多重に重ね合わせた衛生マスクが開示されている。詳しくは、マスクに対して幅が３倍、長さが４倍の絹織物を準備し、幅方向に３重になるように折り畳んで、さらに長さ方向に４重となるように折り畳むことによって多重生地からなるマスク材料を成形している。つまり、１２層構造のマスクが開示されている。
【先行技術文献】
【特許文献】
【０００３】
【特許文献１】特開２０００−１１６８０４号公報
【考案の概要】
【考案が解決しようとする課題】
【０００４】
しかし、特許文献１の衛生マスクの場合、各層の面同士は独立しているため、洗濯すると面同士の摩擦を避けることはできない。そのため、その摩擦による織布のほつれが生じやすい。また１２層に重ねた絹織物からなる衛生マスクに、さらなる加工を施すのは非常に煩雑になる。例えば、上下方向に伸縮するようにプリーツ加工を施すことはできない。
本考案は、製造が簡単で耐久性の高いマスク材料およびそれを用いたマスクを提供することを目的としている。
【課題を解決するための手段】
【０００５】
本考案のマスク材料は、表面から最外層、外層、中間層、内層、最内層の順番に設けられている５層構造のマスク材料であって、前記最外層、前記外層、前記内層、前記最内層が絹織物であり、前記中間層が不織布であり、前記最外層および前記外層によって外側二重織物を形成しており、前記内層および前記最内層によって内側二重織物を形成していることを特徴としている。
【０００６】
本考案のマスク材料であって、前記外側二重織物と、前記内側二重織物が、１枚の二重織物を折り重ねることによって形成されているものが好ましい。
本考案のマスク材料であって、前前記絹織物が、ジャガード織機によって織られた紋織物であるものが好ましい。
本考案のマスク材料であって、全５層を折り曲げてボックスプリーツ加工が施されているものが好ましい。
本考案のマスク材料であって、前記不織布は高密度不織布であるものが好ましい。その場合、前記高密度不織布が、エンボス加工を施されたものであるのが好ましい。そして、エンボス加工が、不織布の全体に均等に設けられた凹部であるのが好ましい。
本考案のマスク材料であって、少なくとも左右縁および下縁が縫製されて一体化されているものが好ましい。  
本考案のマスク材料であって、前記マスク材料の上部であって、外層と前記内層との間に、ノーズワイヤが設けられているものが好ましい。
本考案のマスクは、本考案のマスク材料と、その両端に設けられた耳掛け部とからなることを特徴としている。
【考案の効果】
【０００７】
本考案のマスク材料は、表面側の２層によって外側二重織物を形成しており、裏面側の２層によって内側二重織物を形成しているため、洗濯等をしてもほつれにくく、耐久性が高い。また重厚な質感や肌触りにも関わらず、良好な通気性を有している。
【図面の簡単な説明】
【０００８】
【図１】本発明のマスク材料の使用状態の概略を示す斜視図である。
【図２】図２ａ、図２ｂは、それぞれ本発明のマスク材料の正面図、背面図である。
【図３】マスク材料の一部断面を示す概略図である。
【図４】中間層を構成する不織布を示す概略図である。
【考案を実施するための形態】
【０００９】
図１のマスク１は、５層構造のマスク本体１０と、その左右に設けられた耳掛け部１１とからなる。表面にボックスプリーツ１３が形成されている。
【００１０】
マスク本体１０は、図２ａ、ｂに示すように、上縁１０ａに折り目が形成されており、左右縁および下縁が縫製されて一体化されている。なお、符号１２ａ、１２ｂ、１２ｃは、それぞれ縫い目を表している。また左右縁の縫い目１２ａ、ｂによって、耳掛け部１１が連結される。縫い目１２ａ、ｂ、ｃは、５層のすべてを貫通するように設けられている。
【００１１】
マスク本体１０の表面（図２ａ）の中央部には、ボックスプリーツ１３（箱ひだ）が形成されている。言い換えれば、マスク本体の裏面（図２ｂ）の中央部の上側に、下方に向かって形成される上側折込部１３ａが形成されており、マスク本体１０の裏面の中央部の下側に、上方に向かって形成される下側折込部１３ｂが形成されている。そして、上側折込部１３ａと下側折込部１３ｂとは、端部が重ならないように中央に位置している。この箱ひだ１３は、５層すべてを折って形成されている。
マスク本体１０の上部には、左右方向に沿って、ノーズワイヤ１４が埋め込まれている。ノーズワイヤ１４は、図３における外側二重織物６１と内側二重織物６２との間に設けられている。中間層５３の表面側にあっても、裏面側にあってもよく、中間層５３の上方にあってもよい。そして、マスク本体１０の上縁１０ａ（折部）と、それより下方に設けられた左右方向に延びるワイヤ用縫い目１４ａの間に配置される。
ノーズワイヤ１４としては、軟質の金属ワイヤ、あるいは、軟質の合成樹脂などが挙げられる。
【００１２】
次に、マスク本体を構成する５層構造のマスク材料について、説明する。
マスク材料５０は、図３に示すように、表面から最外層５１、外層５２、中間層５３、内層５４、最内層５５が順番に設けられている５層構造のものである。
最外層５１、外層５２、内層５４、最内層５５は、それぞれが絹織物を構成している。つまり、絹糸からなる経糸および緯糸を組み合わせた絹織物となっている。各層の織り方は、特に限定されず、平織、綾織、繻子織、あるいはそれらを組み合わせた紋織物が挙げられる。特に、ジャガード織機によって織られた紋織物であることが好ましい。
マスク材料５０の最外層５１および外層５２によって外側二重織物６１を形成しており、マスク材料５０の内層５４および最内層５５によって内側二重織物６２を形成している。外側二重織物６１は、最外層５１の緯糸（あるいは経糸）を部分的に外層５２の組織に組み入れることによって、最外層５１と外層５２とを一体化させたものである。なお、外層５２の緯糸（あるいは経糸）を部分的に最外層５１の組織に組み入れてもよい。一方、内側二重織物６２は、最内層５５の緯糸（あるいは経糸）を部分的に内層５４の組織に組み入れることによって、最内層５５と内層５４とを一体化させたものである。なお、内層５４の緯糸（あるいは経糸）を部分的に最内層５５の組織に組み入れてもよい。このような二重織物は、ジャガード織機によって織ることができる。
マスク材料５０は、１枚の二重織物を上下半分に折り重ねることにより、外側二重織物６１および内側二重織物６２を形成している。そのため、マスク本体１０の上縁１０ａは、２つの二重織物を縫製する縫い目が設けられておらず、その上縁１０ａが肌と接触して不快を与えることがない。
このように構成されているため、マスク本体１０において、外側二重織物６１と内側二重織物６２とで袋構造が形成される。
【００１３】
中間層５３は、不織布からなる。不織布は、用途に応じて適宜変更することができる。しかし、洗濯によって、各繊維のほつれおよび収縮が生じにくい、高密度不織布あるいはエンボス加工が施された不織布を用いるのが好ましい。特に、エンボス加工が施された高密度不織布であるのが好ましい。例えば、図４に示すように、不織布６５の全体に均等な凹部６５ａを設けるのが好ましい。このような高密度不織布、エンボス加工が施された不織布あるいはエンボス加工が施された高密度不織布からなる中間層５３を他の層と縫製によって一体化することにより、例えば、左右縁および下縁が縫製されて一体化することにより、洗濯による絹糸の収縮を不織布が防止する。なお、このマスク本体１０では、さらに、ワイヤ用縫い目１４ｃによっても不織布と他層とは縫製されている。よって、マスク５０の全体の収縮を抑えることができる。
【００１４】
このようなマスク材料５０は、絹織物を主構成としているため、通気性が高い。一方、絹糸は吸湿性がよいため、マスク内を所定の湿度範囲内に保つことができる。また表面および裏面である顔等との接触層が絹製であるため、肌触りが良い。さらに、洗濯することにより、絹糸が適度な水分を吸収し、装着したときに一層しなやかな肌触りが得られる。特に、二重織物としているため、単に一層の絹織物より肌触りが柔らかい。その一方、マスク全体に重厚感を与え、装飾性も向上する。
またマスク材料５０は、外層と最外層（および内層と最内層）を二重織物としているため、外層と最外層（および内層と最内層）の面同士の動きがなく、洗濯にしてもよってもほつれにくく、耐久性が高い。一方、実質的に３層（２つの二重織物と不織布）として取り扱うことができるため、縫製が容易にでき、後加工も容易にできる。
花粉やウイルス等の微細な浮遊物については、不織布で吸着させることができる。
【００１５】
マスク１の製造方法の一例を示す。初めに、ジャガード織機等の織機において、絹糸から二重織物を成形する。それを、マスク本体１０の２倍の大きさ、詳しくは高さ方向に２倍の大きさに裁断する。裁断した二重織物を上下半分に折り重ねる。折り重ねるのと同時に、あるいは、折り重ねた後、２枚の二重織物の間に不織布を挿入する。そして、マスク本体１０の下縁の縫い目１２ｃをいれて不織布を固定し、５層構造とする。なお、裁断縁が露出しないように、下端を織り込んで縫製する。その後、５層全体を折り曲げてプリーツ加工を施す。このとき、最外層５１と外層５２とが外側二重織物６１を構成して一体化されており、内層５４と最内層５５とが内側二重織物６２を構成して一体化されているため、実質的に３枚の布地（二枚の二重絹織物と不織布）を折ってプリーツ加工をすることになり、比較的簡単に加工を行うことができる。その後、左右どちらかの開口からノーズワイヤ１４を挿入し、ワイヤ用縫い目１４ａを入れてノーズワイヤ１４を固定する。なお、ノーズワイヤ１４は、プリーツ加工を施す前に入れて固定してもよい。最後に、耳掛け部１１をマスク材料５０の左縁および右縁の所定の位置に配置させ、左縁および右縁を縫製し、マスク１を製造する。なお、この際、繊維が露出した裁断縁が現れないように内側に織り込んで縫製するのが好ましい。
【００１６】
本考案のマスク材料およびマスクは、上記実施形態に限定されるものではない。
図１のマスク１では、マスク材料５０を１枚の二重絹織物を折り畳んで成形していたが、２枚の独立した二重絹織物を重ねてマスク材料を構成してもよい。その場合、上下の折り加工の代わりに、上縁を縫い合わせる縫製が必要となる。
図１のマスク１では、中間層５３である不織布を他の層と共に縫製し、外側二重織物６１と内側二重織物６２との間で固定しているが、固定しなくてもよい。しかし、洗濯等によって繰り返し使用することによって、中間層５３がずれることがあり、固定するのが好ましい。
【符号の説明】
【００１７】
１      マスク
１０    マスク本体
１０ａ  上縁
１１    耳掛け部
１２ａ、１２ｂ、１２ｃ  縫い目
１３ａ  上側折込部
１３ｂ  下側折込部
１４    ノーズワイヤ
１４ａ  ノーズワイヤ用縫い目
５０    マスク材料
５１    最外層
５２    外層
５３    中間層
５４    内層
５５    最内層
６１    外側二重織物
６２    内側二重織物
６５    不織布
６５ａ  凹部
【図１】
0003227103.tif 000003
【図２】
0003227103.tif 000004
【図３】
0003227103.tif 000005
【図４】
0003227103.tif 000006